【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
粘性流体を分配するための分配装置を較正する方法であって、前記分配装置は、弁を有するノズルを有し、コントローラによって操作され、前記方法は、
前記弁を開閉して、動作パラメータの第１の値に従って、前記ノズルから第１のボリュームの粘性流体を分配する工程であって、前記動作パラメータの前記第１の値は、前記第１のボリュームの射出速度に影響を及ぼす、工程と、
センサを使用して、前記ノズルから分配された前記第１のボリュームの粘性流体の特性を測定する工程と、
前記第１のボリュームの前記特性をある範囲と比較して、前記第１のボリュームの前記特性が前記範囲外であるか否かを判定する工程と、
前記第１のボリュームの前記特性が前記範囲外であるという判定に応答して、前記動作パラメータの前記第１の値を第２の値に調整する工程と、
前記動作パラメータの前記第２の値に従って、前記分配装置から第２のボリュームの粘性流体を分配する工程であって、前記ノズルからの前記第２のボリュームの粘性流体の射出速度が、前記ノズルからの前記第１のボリュームの粘性流体の射出速度とは異なる工程と、
を備えたことを特徴とする方法。
【請求項２】
粘性流体を分配するための分配装置を較正する方法であって、前記分配装置は、弁を有するノズルを有し、コントローラによって操作され、前記方法は、
前記ノズルの前記弁を開閉して、動作パラメータの第１の値に従って、第１のボリュームの粘性流体を第１の基材に塗布する工程であって、前記動作パラメータの前記第１の値は、前記ノズルからの前記第１のボリュームの射出速度に影響を及ぼす、工程と、
センサを使用して、前記第１の基材に塗布された前記第１のボリュームの特性を測定する工程と、
前記第１の基材に塗布された前記第１のボリュームの前記特性をある範囲と比較して、前記第１の基材に塗布された前記第１のボリュームの前記特性が範囲外であるか否かを判定する工程と、
前記第１の基材に塗布された前記第１のボリュームの前記特性が前記範囲外であるという判定に応答して、前記動作パラメータの前記第１の値を第２の値に調整する工程と、
前記分配装置から第２のボリュームの粘性流体を分配して、前記第１の基材及び第２の基材のうちの少なくとも１つに前記第２のボリュームの粘性流体を塗布する工程であって、前記第２のボリュームは、前記動作パラメータの前記第２の値に従って前記分配装置から分配され、前記ノズルからの前記第２のボリュームの粘性流体の射出速度が、前記ノズルからの前記第１のボリュームの粘性流体の前記射出速度とは異なる、工程と、
を備えたことを特徴とする方法。
【請求項３】
前記第１のボリュームの前記特性は、速度、幅、直径、長さ、形状、及び方向性のうちの少なくとも１つを含む
ことを特徴とする請求項１または２に記載の方法。
【請求項４】
前記分配装置は、弁座に係合して前記第１のボリュームを分配するように構成された可動要素を含んでおり、
前記動作パラメータは、弁座に係合して前記第１のボリュームを分配するように構成されている可動要素、前記可動要素に動作可能に接続されているばね、及び、前記可動要素の移動を引き起こすように構成されているアクチュエータ、のうちの少なくとも１つに関連している
ことを特徴とする請求項１または２に記載の方法。
【請求項５】
前記弁の開閉は、前記ノズルの移動中に生じ、
前記粘性流体ボリュームは、不連続である
ことを特徴とする請求項１または２に記載の方法。
【請求項６】
前記センサは、前記第１のボリュームの画像を捕捉するように構成されたカメラを有する
ことを特徴とする請求項１または２に記載の方法。
【請求項７】
前記第１のボリュームの粘性流体の前記特性を測定する工程は、
光源をストロボ発光させて、前記第１のボリュームの２つ以上の時間オフセット画像を捕捉する工程を含む
ことを特徴とする請求項６に記載の方法。
【請求項８】
前記第１のボリュームの前記特性は、速度である
ことを特徴とする請求項７に記載の方法。
【請求項９】
前記センサは、２つの角度から画像を捕捉するように構成された少なくとも１つのカメラを有する
ことを特徴とする請求項１に記載の方法。
【請求項１０】
前記第１のボリュームの前記特性は、前記第１のボリュームに関連する粘性流体の１または複数のサテライトの存在を含む
ことを特徴とする請求項１または２に記載の方法。
【請求項１１】
前記第１のボリュームの前記特性は、１または複数のサテライトと前記第１のボリュームとの相対的な位置、サテライトの数量、前記１または複数のサテライトのうちの１つのサテライトの寸法的特徴、及び、前記１または複数のサテライトのうちの１つのサテライトの形状、のうちの少なくとも１つを含む
ことを特徴とする請求項１または２に記載の方法。
【請求項１２】
前記センサは、前記第１のボリュームの鉛直上方に、かつ前記第１のボリュームの鉛直軸から水平にオフセットして、位置付けられる
ことを特徴とする請求項１または２に記載の方法。
【請求項１３】
前記センサの視野の中心軸が、前記第１の基材に塗布される前記第１のボリュームの鉛直軸に対して角度をなしている
ことを特徴とする請求項１２に記載の方法。
【請求項１４】
前記センサの視野の中心軸が、前記第１の基材に塗布される前記第１のボリュームの鉛直軸に対して平行である
ことを特徴とする請求項１２に記載の方法。
【請求項１５】
前記センサは、第１のカメラと、第２のカメラと、を備え、
前記第１のカメラは、前記第１の基材に塗布された前記第１のボリュームの前記特性を測定するように構成されており、
前記第２のカメラは、前記第１の基材に塗布される前の前記第１のボリュームの特性を測定するように構成されており、
前記方法は、
前記第２のカメラを使用して、前記第１の基材に塗布される前の前記第１のボリュームの特性を測定する工程と、
前記第１の基材に塗布される前の前記第１のボリュームの前記特性を第２の範囲と比較して、前記第１の基材に塗布される前の前記第１のボリュームの前記特性が前記第２の範囲外であるか否かを判定する工程と、
を更に備え、
前記動作パラメータの前記第１の値を前記第２の値に調整する工程が、前記第１の基材に塗布される前の前記第１のボリュームの前記特性が前記第２の範囲外であるという判定に更に応答する
ことを特徴とする請求項２に記載の方法。
【請求項１６】
前記第１の基材に塗布される前記第１のボリュームは、前記第１の基材上の第１の位置に位置し、
前記第１の基材に塗布される前記第２のボリュームは、前記第１の基材上の第２の位置に位置する
ことを特徴とする請求項１５に記載の方法。
【請求項１７】
分配システムであって、
分配装置によって分配される粘性流体ボリュームの特性を測定するように配置されるセンサと、
コントローラと、
を備え、
前記コントローラは、１または複数の信号を生成して、
前記分配装置の弁を開閉して、動作パラメータの第１の値に従って、前記分配装置から第１のボリュームの粘性流体を分配し、
前記センサを使用して、前記分配装置から分配される前記第１のボリュームの粘性流体の特性に関する情報を生成し、
前記第１のボリュームの前記特性に関する前記情報をある範囲と比較して、前記第１のボリュームの前記特性が前記範囲外であるか否かを判定し、
前記第１のボリュームの前記特性が前記範囲外であるという判定に応答して、前記動作パラメータの前記第１の値を第２の値に調整し、
前記動作パラメータの前記第２の値に従って、前記分配装置から第２のボリュームの粘性流体を分配する
ように構成されており、
前記動作パラメータの前記第１の値は、前記第１のボリュームの射出速度に影響を及ぼし、
前記分配装置からの前記第２のボリュームの粘性流体の射出速度が、前記分配装置からの前記第１のボリュームの粘性流体の射出速度とは異なる
ことを特徴とする分配システム。
【請求項１８】
顧客製品を含む生産領域と、
前記センサを備えるサービス領域と、
を更に備え、
前記コントローラは、第２の１または複数の信号を生成して、
前記分配装置を前記生産領域に移動して、前記顧客製品上に粘性流体のボリュームを分配する工程、及び
前記分配装置を前記サービス領域に移動して、前記センサを使用して前記第１のボリュームの前記特性に関する情報を生成する工程、
を行うように更に構成されている
ことを特徴とする請求項１７に記載の分配システム。
【請求項１９】
前記センサは、前記第１のボリュームの画像を捕捉するように構成されたカメラを有する
ことを特徴とする請求項１７に記載の分配システム。
【請求項２０】
前記コントローラは、前記１または複数の信号を生成して、
光源をストロボ発光させて、前記第１のボリュームの２つ以上の時間オフセット画像を捕捉するための１または複数の信号を生成することによって、前記第１のボリュームの前記特性に関する前記情報を生成するように構成されている
ことを特徴とする請求項１９に記載の分配システム。
【請求項２１】
前記第１のボリュームの前記特性は、速度である
ことを特徴とする請求項２０に記載の分配システム。